(57)【特許請求の範囲】
【請求項１】
紙製シート状インデックスカードの蓄光印刷部を形成する箇所に型押し凹部を形成し、前記凹部の底面に、該蓄光印刷部に含有される蓄光塗料中の有機バインダーが該カードへ浸透することを防止する下塗り層及び該下塗り層の表面に形成した蓄光印刷部を前記凹部の深さよりも薄い厚さに設けたことを特徴とする磁気記録媒体等のケースに同封される蓄光印刷部付きインデックスカード。
【請求項２】
該蓄光印刷部の表面に透明又は半透明の筆記可能層を設けたことを特徴とする請求項１に記載の蓄光印刷部付きインデックスカード。
【発明の詳細な説明】
【０００１】
【発明の属する技術分野】
本発明はカセットテープを収納して保護するための保護ケースに挿入されるインデックスカードに関する。インデックスカードは所望の内容を筆記等で記入した後透明な保護ケースの内面に添わせて挿入し、記載内容を保護ケースの外部から透視できるようにしたものである。本発明は特に、暗所で読み取れる蓄光印刷部を形成したインデックスカードの改良に関する。
【０００２】
【従来の技術】
従来のインデックスカードには、カセットテープのタイトルや曲目等の内容を記載できる領域が設けられており、所望の記入を行った後に保護ケースに挿入すると、透明なケース壁からこれらの記入した内容が透視できる。しかしながら、このようなインデックスカードは、夜間または昼間の暗所でインデックスカードの記載内容を読み取ることはできないので不便である。例えばカーステレオ用のカセットテープのタイトルや内容を、自動車内で無灯火で判別することはできないので、車内灯や外部の光を利用して読み取ることが必要であった。
【０００３】
発光性の塗料をインデックスカードの記入部に印刷して蓄光印刷部を形成することによりこの問題を解決することが提案されている。すなわち、特開平８−７７７４６号によれば、インデックスカードの記入部に数時間以上の蓄光性を有する夜光塗料（根本化学株式会社製Ｎ−夜光等の蓄光顔料を含有するインキ）を印刷し、さらにその上に筆記性を持たせるために鉛筆、水性インキ、ボールペン、油性ペン等で記入できる吸水性の筆記層を印刷することを提案している。このような構成を有するインデックスカードを昼間の光にさらしておくと、記入部の記載内容がその背面を照らす夜光塗料によるバックライト効果により、明るい背景の中に文字等が明瞭に表示できるので、それを保護ケースの透明壁を通して容易に読み取ることができる。
【０００４】
この点を図１〜図３を参照して簡単に説明するに、図１はインデックスカード１をカセットテープを収容する透明なプラスチック製の保護ケース２に挿入する状態を示し、図２はインデックスカード１の展開平面図、及び図３は図２のＡ−Ａ線断面図である。蓋３をカセットテープ保持ポケット５を有する本体４に枢着してなる保護ケース２のポケット５に、インデックスカード１をその蓄光印刷部６を形成した背部から挿入することにより、保護ケース２の背面から蓄光印刷部６が透視できるようにする。なお、７、８は折り易くするためのミシン目または筋押し線である。ミシン目７と８に囲まれる個所は水性ペン、油性ペン、鉛筆、ボールペン等で種々の情報を記録する領域である。
【０００５】
【発明が解決しようとする課題】
しかしながら、インデックスカードは紙製であり液体に対する浸透性が高いので、これに蓄光性顔料をバインダー及び溶剤に分散させた蓄光インキで印刷すると、粒子の大きい顔料である蓄光性顔料を含んでいるインキのバインダー成分のみがインデックスカードにしみ込むため、蓄光印刷層仕上がり厚さが一定とならず、表面がでこぼことなり、意匠性を損なうだけでなく、その上に筆記層を形成しても良好な筆記性を確保することが難しい。
また、このような蓄光印刷部は、充分な蓄光輝度及び残光時間を得るためには、数十μから百数十μの厚みが必要である。そこで問題となるのが厚みを増加することによってできた蓄光印刷部に存在する突部である。高輝度の発光顔料はアルミナと稀土類元素の粉末を混練りし高温度で焼成して得られる硬いセラミック粒子であり、平均粒子径が十数μから数十μ程度であり且つ最大約５０〜約１００μｍの粗大粒子を含むため、その表面には多数の粗大粒子の先端が露出している。そのため、蓄光印刷部を形成したインデックスカードに曲目やタイトル等のテープ内容を記入しあるいは消去するためにカセット保護ケースに出し入れする際に、あるいは流通過程や使用時に受ける振動等により、蓄光印刷部の突部が保護ケースの内面を削って傷つけて外観を損ない、あるいは削りくずによりカセットテープの記録再生特性に悪影響を及ぼしたり、あるいは逆に蓄光印刷部が削れて筆記性にも悪影響を与えるなどの問題が生じる。
従って、本発明は、均一な厚さを有し、また良好な外観及び良好な筆記性を確保できる均一な表面性を有する蓄光印刷部を形成したインデックスカードを提供することを目的とする。本発明はまた、蓄光印刷部と保護ケースが相互に悪影響を与えないようにすることを目的とする。
【０００６】
【課題を解決するための手段】
本発明は、蓄光印刷部を有するとともにカセットテープ等の記録内容を記す部分を有するインデックスカードにおいて、蓄光印刷部を施す箇所に凹部加工を行い、そこに（好ましくは蓄光印刷部の表面がインデックスカードの面の高さ以下になるようにして）蓄光印刷部を形成したことを特徴とするインデックスカードにより、その課題を解決する。
本発明はまた、インデックスカードの表面に（凹部を設け又は設けないで）、下塗り層と、該下塗り層の表面に形成した蓄光印刷部と、好ましくはさらに透明又は半透明の筆記可能層を設けたことにより、一様な厚さと表面性を有する蓄光印刷部又は筆記可能層を有するインデックスカードを提供する。
【０００７】
【作用】
本発明によれば、インデックスカードの表面に、下塗り層を設けたので、蓄光印刷部の厚さが一定となり、表面が均一にあるので、凹凸が減少し、また筆記性が改善される。また、本発明によれば製品の流通過程や使用時に想定される振動等において、保護ケース及びインデックスカードの蓄光印刷部の削れを防止することができる。また、筆記可能層を設けることにより削れ問題は軽減されるが蓄光印刷部の突部の影響は依然として存在するが、本発明はこれを防止する。
【０００８】
【発明の実施の形態】
蓄光塗料をインデックスカードに直接印刷しても良いが、好ましくは下塗りを行うことにより蓄光塗料中の有機バインダーの紙への浸透を防止して一定の厚さを確保する。このために使用する下塗りとしては各種のニスが使用できる。例えば、一旦乾燥すると蓄光印刷部に使用される溶剤にはほとんど侵されない塩化ビニル−酢酸ビニル共重合体、ポリウレタン樹脂等を溶剤で溶解した塗料を使用することができる。
【０００９】
次に、インデックスカードに形成する蓄光印刷部の発光のもととなる材料としては、根本特殊化学株式会社より市販されているＮ夜光を顔料にしたインクを挙げることができる。Ｎ夜光は紫外線により発光するもので蓄光顔料と呼ばれ、通常の太陽光、蛍光灯、等の白熱電灯に曝されることによりその紫外線成分を充分に蓄光し、蓄光印刷部に直接記載された文字等を、あるいは筆記層がある場合には筆記層に記載された文字等を８時間程度の残光時間にわたってバックライトとして作用して文字等を判別可能にできる。この蓄光顔料は従来より存在している自家発光タイプの放射性物質を含む顔料と比較して安全性にも優れた顔料である。このＮ夜光を使用してインキ化したものが蓄光インキであり、これを印刷することにより本発明で必要な蓄光印刷部を得ることができる。
印刷方法としては、蓄光顔料の粒径が最大１００μｍと通常インキと比較して大粒径であり、さらに印刷の厚みも厚ければ厚いほど発光性が良く、残光時間も長いことを考慮すると、スクリーン印刷が一般的である。
【００１０】
次に本発明に従ったインデックスカードの加工であるが、保護ケースとインデックスカードの干渉を避けるためには、蓄光インキの印刷を行う蓄光印刷部に相当する領域は凹部にすることが必要である。そのため、通常、印刷はある一定大きさの紙にインデックスカード一枚の大きさを多面付けした印刷板により、蓄光印刷部及び他の意匠や文字・記号あるいは文章の印刷を相次いで行い、次いでこれらの一枚一枚の大きさになるように型抜き加工する。本発明に従った試作ではこの型抜き加工を実施するため、凹部を有する金型とこの凹部と相補形状をなす凸部を有する金型とを対向させて使用して打ち抜きと同時に凹部を形成した。
しかし、抜き型で打ち抜きを行い、次いで凹部と凸部を有する押し型を使用して凹部を形成することよりなる２工程でインデックスカードに作成することも差し支えない。
前述のように、蓄光顔料を含む蓄光印刷部は最小で数十μｍ〜最大で百数十μｍ程度の厚さに印刷されるので、インデックスカードに形成する凹部の深さは従来の問題が改善できる程度の深ければ良いが、好ましくは蓄光印刷部の厚さよりも深くすれば良い。
【００１１】
上記のように蓄光印刷部を印刷した後にインデックスシートの凹部加工を行うと、蓄光印刷部が押し型により衝撃を受け特性が変化したり部分的に亀裂や脱落が生じる恐れがあるので、その代わりに、蓄光印刷部を形成する前に凹部加工を行うこともできる。すなわち、インデックスカードをまず凹部加工し、次いで得られるそれぞれの凹部に蓄光印刷部その表面を好ましくはその周辺の高さと同じ高さか、更に好ましくはそれよりも低くなるように印刷する。なお他の意匠等の印刷はどの時点で行っても良いし、インデックスカードで通常行われるミシン目等の形成は従来通り行うことができる。
【００１２】
【実施例】
以下図面を参照して本発明の実施例を説明する。なお、従来例と同一の部分は同一の参照符号で示す。
実施例１
図４〜５は本発明の実施例による蓄光印刷層を有するインデックスによるインデックスカードを示し、図４は展開図、図５は図４のＢ−Ｂ線断面図である。
この例では蓄光印刷部６はインデックスカード１の背部となる箇所に形成されている。しかし蓄光印刷部を形成する箇所は背部に限らずに任意の箇所で良いことに注意されたい。インデックスカード１の蓄光印刷部６が印刷される領域には凹部９が形成される。この凹部は蓄光印刷部６の厚さは適宜で良いが、好ましくは蓄光印刷部６の厚さ以上の深さ、さらに好ましくは好ましくは蓄光印刷部６の厚さよりも深く形成し、それによりインデックスカード１の表面高さ１０よりも上に蓄光印刷部６の表面が出ないようにする。先に述べたように、この凹部９は蓄光印刷部６を形成した後に形成しても良いし、蓄光印刷部６を印刷する前に形成しても良い。凹部９の形成は前述のように凹部と突部を有する金型により蓄光印刷部６に相当する部分を図５のように下方に押出すことにより行われる。
【００１３】
インデックスカードは１００μ以上の厚さを有する紙シートであり、また水性インキによる筆記が必要なので充分な吸湿性を持たせてあるので、蓄光印刷インキが浸透し易く、蓄光印刷層の厚みが減少する。これを防ぐためには合成樹脂塗料例えばニスを１０μ程度の薄い下塗り層としてオフセット印刷等で形成すると良い。
下塗り層の効果を次に説明する。通常インデックスカードに使用されている紙に、下塗ニスを約１０μｍに塗布乾燥する。次に、蓄光インキとして平均粒子径３０〜４０μｍで小径から累積した粒子重量９０％の粒子径が６５〜７５μｍの蓄光顔料（前記Ｎ夜行）を５０〜８０重量％及びインキメジウム（バインダーと溶剤）を２０〜５０重量％を使用して、下塗ニスの上に約１０μｍに塗布する。これらの条件を満足する試料を５個用意した。また、これを下塗りを使用しない場合の試料を５個用意した。これらの試料の１０点平均厚さを比較したところ（単位μｍ）、表１の結果を得た。これにより、下塗り層は蓄光印刷層の厚さを保持するのに重要なことが分かる。膜厚が塗布後に大幅に変動すると所期の厚さを得るのが難しいが、下塗りを施すと厚さの変動が減少し、所期の厚さを容易に得ることができる。さらに表面性や厚さの均一性が得られる。
【表１】
0003604865.tif 000002
【００１４】
また、蓄光印刷層６を印刷したままでも筆記は可能であるが、表面粗度が最大粒径１００μｍ程度と大きい場合には筆記具に負担がかかり、また筆記性も充分でないので、表面に約２０μｍ程度の親水性の筆記可能層を形成することが好ましい。例えば木材セルロース系の粉末を親水性バインダー中に分散したものを塗布して筆記可能層を形成する。筆記可能層を使用しない場合には蓄光顔料が粗粒過ぎるので、粒径を最大１００μｍから最大６０μｍへ減少し、平均粒径を３０μｍ程度に押さえると、表面粗度はＲＺ  ３０μから１５μへと低下して筆記に適する粗さと平滑さを共に備えた面が得られ筆記性が改善される。
【００１５】
実施例２
図６〜８は本発明の実施例による蓄光印刷層を有するインデックスによるインデックスカードを示し、図６は展開図、図７は図６の円で示した部分の拡大図、図８は図７のＣ−Ｃ線断面図である。
この例では蓄光印刷部６はインデックスカード１の背部となる箇所に形成されている。蓄光印刷部６が印刷される領域には凹部１１が形成される。この凹部は蓄光印刷部６の厚さ以上の深さ、好ましくは蓄光印刷部６の厚さよりも深く形成し、それによりインデックスカード１の表面高さ１０よりも上に蓄光印刷部６の表面が出ないようにする。先に述べたように、この凹部９は蓄光印刷部６を形成する前に形成しても良いし、蓄光印刷部６を印刷した後に形成しても良い。このような凹部１１はこの例では蓄光印刷部６よりも若干大きい凹部を有する下型と蓄光印刷部の外側直近の全周に筋押し刃を有する上型（いずれも図示せず）の間にインデックスカードを置き、筋押し刃を蓄光印刷部６の外側の全周に押し当てることにより筋押し部１２を形成すれば得られる。
【００１６】
なおこの例でも１０μ程度の薄い下塗り層をオフセット印刷等で形成すると良い。さらに、表面に２０μ程度の筆記可能層を形成することが好ましい。
【００１７】
【発明の効果】
以上のように、本発明はインデックスカードの蓄光印刷部を形成する箇所に凹部を形成し、該凹部に蓄光印刷部を、該蓄光印刷部の表面（または筆記可能層を有する場合にはその表面）がインデックスカードの面の高さ以下になるように形成したので、製品の流通過程や使用時に想定される振動等において、保護ケース及びインデックスカードの蓄光印刷部の削れを防止することができる。
【図面の簡単な説明】
【図１】インデックスカードをカセットテープを収容する透明なプラスチック製の保護ケースに挿入する状態を示す。
【図２】従来のインデックスカードの展開平面図である。
【図３】図２のＡ−Ａ線断面図である。
【図４】実施例のインデックスカードの展開図である。
【図５】図４のＢ−Ｂ線断面図である。
【図６】他の実施例のインデックスカードの展開図である。
【図７】図６の円で示した部分の拡大図である。
【図８】図７のＣ−Ｃ線断面図である。
【符号の説明】
１  インデックスカード
２  保護ケース
３  蓋
４  本体
６  蓄光印刷部
９、１１  凹部
１２  筋押し部
【図１】
0003604865.tif 000003
【図２】
0003604865.tif 000004
【図３】
0003604865.tif 000005
【図４】
0003604865.tif 000006
【図５】
0003604865.tif 000007
【図６】
0003604865.tif 000008
【図７】
0003604865.tif 000009
【図８】
0003604865.tif 000010